(57)【要約】【課題】簡便な作業で、含水物の水切り及びプレス脱水を連続して行い、含水物を良好に脱水可能な脱水装置を提供する。【解決手段】透水性を有し、内部にスラッジＳを収納する袋体２と、袋体２の形状に合致する内部空間を有し、水が内部に滞留することなく外部へ排出されるように構成される籠体３と、を具備し、スラッジＳの水切り時には、袋体２の外側面と籠体３の内側面とが接触するように、袋体２を籠体３の内部に吊り下げることで、袋体２の形状を保持し、袋体２に投入されたスラッジＳの脱水を行う脱水装置１であって、袋体２は、その外部に連通する空隙４１が形成されるように、袋体２の表面を内部に向けて窪ませて形成される仕切部４０と、スラッジＳの水切り時に、仕切部４０を支持して仕切部４０に張力を付与することで、仕切部４０の形状を保持する保持部５０と、を具備し、仕切部４０は、袋体２に収納されたスラッジＳの中央部近傍に配置される。【選択図】図１
2012091088.tif 000002
【特許請求の範囲】
【請求項１】
透水性を有し、内部に含水物を収納する袋体と、
前記袋体の形状に合致する内部空間を有し、水が内部に滞留することなく外部へ排出されるように構成される籠体と、を具備し、
前記含水物の水切り時には、前記袋体の外側面と前記籠体の内側面とが接触するように、前記袋体を前記籠体の内部に吊り下げることで、前記袋体の形状を保持し、当該袋体に投入された前記含水物の脱水を行う脱水装置であって、
前記袋体は、その外部に連通する空隙が形成されるように、前記袋体の表面を内部に向けて窪ませて形成され、前記袋体の内部空間を仕切る仕切部と、
前記含水物の水切り時に、前記仕切部を支持して前記仕切部に張力を付与することで、前記仕切部の形状を保持する保持部と、を具備し、
前記仕切部は、前記袋体に収納された前記含水物の中央部近傍に配置される脱水装置。
【請求項２】
前記仕切部は、前記袋体の内部空間における前記仕切部によって仕切られた空間同士が互いに連通するように形成される請求項１に記載の脱水装置。
【請求項３】
前記仕切部は、前記袋体における他の部分よりも高い透水性を有する請求項１又は請求項２に記載の脱水装置。
【発明の詳細な説明】
【技術分野】
【０００１】
本発明は、含水物を脱水する技術に関し、特にスラッジ等の水を含んだ廃棄物を脱水する脱水装置に関する。
【背景技術】
【０００２】
従来、種々の産業分野にて発生するスラッジ等の廃棄物（含水物）は、廃棄される際の容量低減（所謂、減溶）のため、種々の方法で脱水されている。
当該脱水方法としては、透水性を有するフレキシブルコンテナバッグ（以下、「フレコンバッグ」と記す）の内部に廃棄物を収納した後、所定の位置にフレコンバッグを設置して水切り（重力脱水）を行い、更にフレコンバッグに対してプレス処理を施すことで圧縮脱水（以下、単に「プレス脱水」と記す）を行う方法が広く知られている。
【０００３】
しかしながら、上記のようにフレコンバッグを用いて廃棄物の脱水を行う場合、脱水後の廃棄物の中心部における含水率が高く、充分に廃棄物の脱水が行われない。そのため、廃棄物の中心部における脱水性の向上が広く要求されている。
【０００４】
特許文献１には、通液性かつ吸液性を有する素材からなる隔壁が内部に設けられ、当該隔壁を介して良好な脱水が可能なフレコンバッグが開示されている。
しかし、特許文献１に記載のフレコンバッグにおいては、水切りを行う際、内部に投入された廃棄物によって隔壁の形状を保持することができず、隔壁の機能を充分に発揮できないという問題が生じる。
【０００５】
特許文献２には、内部に円筒状の排水管が設けられ、当該排水管を介して良好な脱水が可能なフレコンバッグが開示されている。
しかし、特許文献２に記載のフレコンバッグにおいては、内部に排水管が設けられているため、そのままの状態でプレス脱水を行うことができない点で不利である。
【先行技術文献】
【特許文献】
【０００６】
【特許文献１】特開平５−１８５０９９号公報
【特許文献２】特開２００９−９０２１５号公報
【発明の概要】
【発明が解決しようとする課題】
【０００７】
本発明は、簡便な作業で、含水物の水切り及びプレス脱水を連続して行い、含水物を良好に脱水可能な脱水装置を提供することを課題とする。
【課題を解決するための手段】
【０００８】
本発明の脱水装置は、透水性を有し、内部に含水物を収納する袋体と、前記袋体の形状に合致する内部空間を有し、水が内部に滞留することなく外部へ排出されるように構成される籠体と、を具備し、前記含水物の水切り時には、前記袋体の外側面と前記籠体の内側面とが接触するように、前記袋体を前記籠体の内部に吊り下げることで、前記袋体の形状を保持し、当該袋体に投入された前記含水物の脱水を行う脱水装置であって、前記袋体は、その外部に連通する空隙が形成されるように、前記袋体の表面を内部に向けて窪ませて形成され、前記袋体の内部空間を仕切る仕切部と、前記含水物の水切り時に、前記仕切部を支持して前記仕切部に張力を付与することで、前記仕切部の形状を保持する保持部と、を具備し、前記仕切部は、前記袋体に収納された前記含水物の中央部近傍に配置される。
【０００９】
本発明の脱水装置において、前記仕切部は、前記袋体の内部空間における前記仕切部によって仕切られた空間同士が互いに連通するように形成されることが好ましい。
【００１０】
本発明の脱水装置において、前記仕切部は、前記袋体における他の部分よりも高い透水性を有することが好ましい。
【発明の効果】
【００１１】
本発明によれば、簡便な作業で、含水物の水切り及びプレス脱水を連続して行うことができ、含水物の脱水後の含水率を低減することができる。
【図面の簡単な説明】
【００１２】
【図１】本発明に係る脱水装置を示す斜視図。
【図２】仕切部によって仕切られた収納部の内部空間を示す断面図。
【図３】保持部を示す斜視図。
【図４】袋体と籠体とを固定した状態を示す斜視図。
【図５】保持部を補強する治具を示す斜視図。
【図６】蓋部によって収納部の開放面を塞いだ様子を示す斜視図。
【図７】保持部の別形態を示す斜視図。
【図８】保持部の別形態を示す斜視図。
【発明を実施するための形態】
【００１３】
以下では、図１〜図３を参照して、本発明に係る脱水装置の一実施形態である脱水装置１について説明する。
脱水装置１は、水を含んだ廃棄物であるスラッジＳを脱水することで、スラッジＳの容量を減らす（所謂、減溶を行う）装置である。
スラッジＳは、塗料設備にて発生する塗料排水から分離された塗料粕等の水を含んだ泥状の廃棄物（含水物）である。
【００１４】
図１に示すように、脱水装置１は、袋体２と、籠体３とを具備する。脱水装置１においては、袋体２が籠体３内にて固定された状態で、袋体２の内部にスラッジＳが収納されることでスラッジＳの水切り（重力脱水）が行われる。スラッジＳの水切りが行われた後は、籠体３から取り出された袋体２に対してプレス処理が施されることでスラッジＳの圧縮脱水（以下、単に「プレス脱水」と記す）が行われる。
なお、説明の便宜上、図１における矢印Ｘの指す方向を脱水装置１の幅方向とし、矢印Ｙの指す方向を脱水装置１の奥行方向とし、矢印Ｚの指す方向を脱水装置１の高さ方向と規定する。更に、図１の高さ方向における上側を上方として、脱水装置１の上下方向を規定する。
【００１５】
袋体２は、内部にスラッジＳを収納することで、スラッジＳを脱水するフレキシブルコンテナバッグである。袋体２は、収納部１０、蓋部２０・２０・２０・２０、掛止部３０・３０・３０・３０、仕切部４０、及び保持部５０を具備する。
【００１６】
収納部１０は、上面が開放された略直方体形状を有し、内部にスラッジＳを収納可能となっている。収納部１０は、布生地、又は樹脂織生地等の透水性を有する生地からなり、内部にスラッジＳが収納された際に、スラッジＳに含まれた水のみが通過するように構成されると共に、スラッジＳのプレス脱水が行われる際に、プレス圧力に耐えうる柔軟な構成となっている。なお、収納部１０に用いられる生地は、スラッジＳの性状、又は脱水条件等により適宜変更可能である。
【００１７】
蓋部２０・２０・２０・２０は、収納部１０の四つの側面を上方に延長して、収納部１０の上面における四辺からそれぞれ延出するように形成されており、収納部１０と同様の生地から構成されている。蓋部２０・２０・２０・２０は、スラッジＳのプレス脱水が行われる際、スラッジＳが収納部１０から流出しないように、互いに重なり合って収納部１０の開放された上面を塞ぐ。
【００１８】
掛止部３０・３０・３０・３０は、環状に構成され、それぞれ収納部１０の上端部における四隅に固定されている。掛止部３０・３０・３０・３０は、それぞれ後述する籠体３の鉤部６０・６０・６０・６０に引っ掛けられることで、収納部１０に所定の張力が付与された状態で、袋体２と籠体３とを固定する。つまり、掛止部３０・３０・３０・３０により、袋体２が籠体３の内部において吊り下げられることとなる。
これにより、収納部１０にスラッジＳが収納された場合でも、収納部１０がスラッジＳの重量によって変形することなく、収納部１０の形状を保持し続けることが可能となる。ただし、袋体２と籠体３とが固定された時、袋体２の側面及び底面と籠体３の側面及び底面とが接触した状態で、収納部１０に所定の張力が付与されて、収納部１０の形状が保持されるように、袋体２及び籠体３の寸法が設定されているものとする。
なお、掛止部３０・３０・３０・３０は、籠体３に固定することで、収納部１０の形状を保持できればよく、それらの形状及び材質、並びに籠体３への固定方法等は限定しない。
【００１９】
仕切部４０は、収納部１０の底面を奥行方向における全域に亘って、上方に向けて収納部１０内のスラッジＳの中央部近傍まで切り込むように形成され、収納部１０の幅方向における中央部に配置されている。つまり、仕切部４０は、収納部１０の表面を内部に向けて窪ませて、スラッジＳの中央部近傍まで到達するように形成される。
こうして、収納部１０の幅方向における中央部には、収納部１０を奥行方向に沿って貫通し、収納部１０の外部に連通する空隙４１が形成されることとなる。
これにより、収納部１０の内部にスラッジＳが収納されてスラッジＳの水切りが行われる際に、スラッジＳの中央部に含まれる水が仕切部４０の表面を通して空隙４１へと流動し、最終的に収納部１０の外部に排出される。したがって、スラッジＳの中央部における脱水性が向上し、良好にスラッジＳを脱水することができる。
【００２０】
また、仕切部４０は、収納部１０よりも高い透水性を有する生地からなる。例えば、編み込んだ繊維同士の間隔が比較的大きい樹脂織生地、及び網目状の金属生地等が挙げられる。ただし、仕切部４０は、スラッジＳが通過せず、スラッジＳに含まれた水のみが通過するように構成されると共に、プレス脱水の際にプレス圧力に耐えうる柔軟性を有するものとする。
これにより、スラッジＳの中央部における脱水性を更に向上し、より良好にスラッジＳを脱水することができる。
【００２１】
仕切部４０の幅寸法は、収納部１０の幅寸法と比較して極めて小さく設定されている。また、仕切部４０の高さ寸法は、収納部１０の高さ寸法の半分程度に設定されており、収納部１０の内部空間における下部分のみが仕切部４０によって幅方向に仕切られることとなる。こうして、仕切部４０によって仕切られた収納部１０の内部空間における下部分には、小室１１・１１が形成される。
【００２２】
図２に示すように、小室１１・１１は、収納部１０の底面から仕切部４０上端位置にかけて形成された収納部１０における内部空間の一部であり、仕切部４０を介して互いに離間して配置されている。前述のように、仕切部４０の高さ寸法は、収納部１０の高さ寸法の半分程度である。そのため、小室１１・１１は、収納部１０の高さ方向全域に亘って形成されておらず、収納部１０の底面から収納部１０の高さの半分程度の高さまでのみ形成されている。つまり、収納部１０の内部空間において、小室１１・１１同士が互いに連通している。
これにより、一方の小室１１（図２における右側の小室１１）にのみスラッジＳを投入すれば、一方の小室１１がスラッジＳによって満たされた場合に、水分を含む泥状の物質であるスラッジＳが一方の小室１１から溢れて他方の小室１１（図２における左側の小室１１）へと流動し、他方の小室１１もスラッジＳで満たすことが可能となる。したがって、収納部１０の内部にスラッジＳを投入する際に、小室１１・１１それぞれに位置を変えつつスラッジＳを投入することなく、簡便に収納部１０の内部にスラッジＳを投入することができる。
【００２３】
図３に示すように、保持部５０は、仕切部４０に所定の張力を付与することで仕切部４０の形状を保持するものであり、保持帯５１と、中央掛止部５２・５２と、帯支持部５３・５３・・・とを具備する。
【００２４】
保持帯５１は、所定の方向に延出された帯状の部材であり、小室１１・１１の間に形成された空隙４１の幅寸法と同程度の外径を有する。保持帯５１は、空隙４１に設けられ、延出両端部が収納部１０の奥行方向における両側面からそれぞれ外方に突出した状態で、仕切部４０の上端部に下方から（収納部１０の外部から）接触するように配置される。保持帯５１における収納部１０の側面から突出した部分は、収納部１０の側面に沿って仕切部４０の上端部から上方へ延出している。
【００２５】
中央掛止部５２・５２は、掛止部３０と略同様に構成された環状の部材であり、保持帯５１の両端部にそれぞれ固定されている。中央掛止部５２・５２は、それぞれ後述する籠体３の中央鉤部７０・７０に引っ掛けられることで、掛止部３０・３０・３０・３０と同様に袋体２と籠体３とを固定すると共に、仕切部４０を支持する。
なお、中央掛止部５２・５２は、籠体３に固定することで、仕切部４０を支持できればよく、それらの形状及び材質、並びに籠体３への固定方法等は限定しない。
【００２６】
帯支持部５３は、保持帯５１を覆うように収納部１０の外側面に設けられ、保持帯５１が収納部１０から脱落しないように保持帯５１を支持する。帯支持部５３は、収納部１０の奥行方向における両側面、及び収納部１０の外側面における仕切部４０の上端部が位置する部分（空隙４１）に複数配置されている。
【００２７】
このように、保持帯５１が複数の帯支持部５３・５３・・・によって略Ｕ字状に支持された状態で、中央掛止部５２・５２が籠体３の中央鉤部７０・７０に引っ掛けられることで、仕切部４０が保持帯５１によって吊り上げられる形となる。つまり、保持部５０によって仕切部４０に所定の張力が付与され、仕切部４０の形状が保持されることとなる。
これにより、収納部１０にスラッジＳが収納された場合でも、仕切部４０がスラッジＳの重量によって変形することなく、仕切部４０の形状を保持し続けることが可能となる。
なお、保持部５０は、スラッジＳの重量、及びプレス圧力に耐えうる柔軟性及び強度を有するように構成されている。
【００２８】
図１に示すように、籠体３は、上面が開放された略直方体形状を有し、内部空間が袋体２の形状に合致するように構成されている。籠体３は、耐水性を有する金属等から成り、水が内部に滞留することなく外部へ排出されるように、全面が網目状に形成されている。
籠体３は、鉤部６０・６０・６０・６０、及び中央鉤部７０・７０を具備する。
【００２９】
鉤部６０・６０・６０・６０は、それぞれ袋体２の掛止部３０・３０・３０・３０を引っ掛けるための鉤状の部材であり、側方に突出すると共に、当該突出端部が下方に向けて湾曲されている。鉤部６０・６０・６０・６０は、籠体３の外周側面における上端部に設けられ、袋体２の掛止部３０・３０・３０・３０の位置に合わせて籠体３の外周側面における角部分に配置される。
【００３０】
中央鉤部７０・７０は、それぞれ袋体２の中央掛止部５２・５２を引っ掛けるための鉤状の部材であり、鉤部６０と略同様に構成されている。中央鉤部７０・７０は、籠体３の奥行方向における両側面に設けられ、袋体２の中央掛止部５２・５２の位置に合わせて籠体３の幅方向における中央部に配置される。
【００３１】
以下では、図４〜図６を参照して、脱水装置１によるスラッジＳの脱水について説明する。
【００３２】
第一に、スラッジＳの水切り（重力脱水）が行われる。
図４に示すように、袋体２を籠体３内に設置した状態で、袋体２の掛止部３０・３０・３０・３０を籠体３の鉤部６０・６０・６０・６０に引っ掛けると共に、袋体２の中央掛止部５２・５２を籠体３の中央鉤部７０・７０に引っ掛ける。こうして、袋体２の形状（詳細には、収納部１０及び仕切部４０の形状）が保持された状態で、袋体２と籠体３とが固定される。
なお、図４においては、説明の便宜上、袋体２の蓋部２０・２０・２０・２０を図示していない。
【００３３】
袋体２と籠体３とを固定した状態で、袋体２の収納部１０にスラッジＳを投入する。この時、前述のように、収納部１０における一方の小室１１にのみスラッジＳを投入することで、小室１１・１１それぞれに位置を変えつつスラッジＳを投入することなく、簡便に収納部１０の内部にスラッジＳを投入することができる。
袋体２が所定の張力が付与された状態で籠体３に固定され、更に袋体２の側面及び底面と籠体３の側面及び底面とが接触し、収納部１０の外側面が籠体３の内側面に支持される形となるため、収納部１０及び仕切部４０がスラッジＳの重量によって変形することはない。
【００３４】
スラッジＳを袋体２の収納部１０に収納した後は、袋体２と籠体３とを固定した状態で所定の時間放置する。この時、スラッジＳに含まれる水が収納部１０の表面を通して、収納部１０の外部に排出される。特に、スラッジＳの中央部近傍に含まれる水は、スラッジＳの中央部近傍まで到達する仕切部４０の表面を通して空隙４１へと流動し、最終的に収納部１０の外部に排出される。そのため、脱水が困難なスラッジＳの中央部近傍においても良好に脱水することができる。
【００３５】
スラッジＳから収納部１０の外部へと排出された水は、籠体３の側面及び底面を通って最終的に脱水装置１の外部へと排出されることとなる。こうして、スラッジＳの水切り（重力脱水）が行われる。
【００３６】
なお、図５に示すように、スラッジＳの水切りの際、保持部５０を補強する治具５４を用いてもよい。
治具５４は、金属製の棒材であり、空隙４１の幅寸法と同程度の外径を有する。治具５４は、奥行方向に沿って延出される下段部５４ａと、下段部５４ａの両端部から上方に延出される段差部５４ｂ・５４ｂと、段差部５４ｂ・５４ｂの上端部から奥行方向に沿って互いに離間するように延出される上段部５４ｃ・５４ｃとを具備する。
下段部５４ａは、保持帯５１における仕切部４０の上端部に接触する部分に下方から接触するように配置される。下段部５４ａの奥行寸法は、籠体３の内部の奥行寸法と同程度に設定されている。
段差部５４ｂ・５４ｂは、下段部５４ａの両端部からそれぞれ上方へ籠体３の上端部の高さまで延出される。
上段部５４ｃ・５４ｃは、段差部５４ｂ・５４ｂの上端部から奥行方向に沿って、それぞれ籠体３の側面から若干外方に突出するように延出される。
【００３７】
このように構成される治具５４においては、籠体３の奥行方向における両側面の上端部に上段部５４ｃ・５４ｃを引っ掛けることで、下段部５４ａが保持帯５１を下方から支持する形となる。つまり、治具５４は、仕切部４０の形状を保持する保持部５０を補強することとなる。
これにより、スラッジＳが鉄粉等を含む比較的重量の大きい場合であっても、仕切部４０がスラッジＳの重量によって変形することなく、仕切部４０の形状を保持し続けることが可能となる。
なお、本実施形態においては、治具５４は、金属製の棒材としたが、これに限定するものではなく、小室１１・１１の間に形成された空隙４１を満たす板材等、保持部５０を補強できるものであればよい。
【００３８】
第二に、スラッジＳのプレス脱水が行われる。
図６に示すように、スラッジＳの水切りを行った後、袋体２を籠体３から取り外し、収納部１０の開放した上面を蓋部２０・２０・２０・２０で塞ぐ。
【００３９】
その後、所定のプレス装置（不図示）により、袋体２に対してプレス処理を施す。この時、袋体２が籠体３から取り外されて、袋体２に付与されていた張力が解放されているため、袋体２に対して良好にプレス処理を施すことができる。また、袋体２に対するプレス処理の際、収納部１０の小室１１・１１が互いに離間するように袋体２が変形するため、仕切部４０が阻害することなく、袋体２に対して良好にプレス処理を施すことができる。
【００４０】
このように、袋体２に対してプレス処理を施すことで、水切り（重力脱水）を経た後もスラッジＳに残存する水が袋体２の外部に排出されることとなる。こうして、スラッジＳのプレス脱水が行われる。
【００４１】
以上のように、脱水装置１においては、スラッジＳの水切り時に、袋体２と籠体３とを固定することで収納部１０及び仕切部４０の形状を保持し、スラッジＳのプレス脱水時に、袋体２を籠体３から取り外すことで袋体２に構造的柔軟性が付与される。
そのため、脱水装置１によれば、籠体３に対する袋体２の着脱による簡便な作業で、スラッジＳの水切り及びプレス脱水を連続して短時間で行い、スラッジＳを良好に脱水することができる。
【００４２】
なお、本実施形態においては、袋体２に保持部５０を設けたが、保持部５０の代わりに保持部１５０を設けてもよい。
図７に示すように、保持部１５０は、補強帯１５１と、中央掛止部１５２・１５２とを具備する。
【００４３】
補強帯１５１は、仕切部４０の形状に沿って収納部１０の外側面に設けられた帯状の部材である。補強帯１５１は、空隙４１の外周に沿って、収納部１０の奥行方向における両側面、及び収納部１０の底面に外部から取り付けられ、更に収納部１０の奥行方向における両側面に取り付けられた部分においては、それぞれ仕切部４０の上端部が位置する部分から上方に延出されている。
こうして、補強帯１５１は、仕切部４０の形状に沿って収納部１０を補強することとなる。ただし、補強帯１５１は、スラッジＳの重量、及びプレス圧力に耐えうる柔軟性及び強度を有するように構成されているものとする。
【００４４】
中央掛止部１５２・１５２は、中央掛止部５２・５２と略同様に構成された環状の部材であり、補強帯１５１の上端部にそれぞれ固定されている。中央掛止部１５２・１５２は、籠体３の中央鉤部７０・７０に引っ掛けられることで、中央掛止部５２・５２と同様に袋体２と籠体３とを固定する。
【００４５】
このように、補強帯１５１が仕切部４０の形状に沿って収納部１０を補強した状態で、中央掛止部１５２・１５２が籠体３の中央鉤部７０・７０に引っ掛けられることで、保持部１５０によって仕切部４０の形状が保持されることとなる。
これにより、収納部１０にスラッジＳが収納された場合でも、仕切部４０がスラッジＳの重量によって変形することなく、仕切部４０の形状を保持し続けることが可能となる。
【００４６】
また、袋体２に保持部５０の代わりに保持部２５０を設けてもよい。
図８に示すように、保持部２５０は、挟持帯２５１と、吊上部２５２・２５２・２５２・２５２とを具備する。
【００４７】
挟持帯２５１は、仕切部４０の上端部を上方から覆った状態で両側面から挟持する部材であり、仕切部４０の奥行方向における中央部に配置されている。挟持帯２５１の寸法は、仕切部４０の寸法と比較して極めて小さく、挟持帯２５１が仕切部４０の一部分のみを覆う程度に設定されている。
【００４８】
吊上部２５２・２５２・２５２・２５２は、挟持帯２５１を吊り上げる紐状の部材である。吊上部２５２・２５２・２５２・２５２は、一端部が挟持帯２５１に固定され、他端部がそれぞれ収納部１０の上端部における四隅に固定されている。
【００４９】
このように、袋体２が籠体３内に設置されて、袋体２の掛止部３０・３０・３０・３０が籠体３の鉤部６０・６０・６０・６０に引っ掛けられることで、袋体２に所定の張力が付与されるに伴って、吊上部２５２・２５２・２５２・２５２にも所定の張力が付与され、吊上部２５２・２５２・２５２・２５２によって挟持帯２５１が吊り上げられることとなる。こうして、保持部２５０によって仕切部４０の形状が保持されることとなる。
これにより、収納部１０にスラッジＳが収納された場合でも、仕切部４０がスラッジＳの重量によって変形することなく、仕切部４０の形状を保持し続けることが可能となる。
【００５０】
また、本実施形態においては、仕切部４０を収納部１０の幅方向における中央部において奥行方向全域に亘って形成したが、これに限定するものではなく、仕切部４０が収納部１０に収納されたスラッジＳの中央部近傍を通るように形成されると共に、収納部１０の外部に連通する空隙４１が形成されて、スラッジＳの中央部に含まれる水を良好に脱水できればよい。
例えば、仕切部４０を収納部１０の幅方向における中央部近傍の複数箇所においてそれぞれ奥行方向全域に亘って形成すること、収納部１０の幅方向及び奥行方向における中央部においてそれぞれ奥行方向全域及び幅方向全域に亘って互いに交差するように形成すること、収納部１０の底面における対角線上に形成すること、収納部１０の幅方向における中央部において奥行方向における中央部近傍のみ形成すること等が可能である。
また、本実施形態においては、仕切部４０を収納部１０の底面を上方に向けて切り込むように形成したが、収納部１０の高さ方向における中途部において収納部１０を奥行方向に沿って貫通するように形成してもよい。
【００５１】
また、本実施形態においては、収納部１０を略直方体形状としたが、これに限定するものではなく、円柱形状、又は多角柱形状等とすることも可能である。ただし、当該形状に合わせて、籠体３の内部空間が形成されているものとする。
【符号の説明】
【００５２】
１    脱水装置
２    袋体
３    籠体
１０  収納部
２０  蓋部
３０  掛止部
４０  仕切部
５０  保持部
５１  保持帯
５２  中央掛止部
５３  帯支持部
５４  治具
６０  鉤部
７０  中央鉤部
Ｓ    スラッジ
【図１】
2012091088.tif 000003
【図２】
2012091088.tif 000004
【図３】
2012091088.tif 000005
【図４】
2012091088.tif 000006
【図５】
2012091088.tif 000007
【図６】
2012091088.tif 000008
【図７】
2012091088.tif 000009
【図８】
2012091088.tif 000010